(57)【要約】  【課題】  ディジタルカメラ装置などの撮像装置の操作性を高め、撮像装置の機能不足を補い、実質的に撮像装置の活用を向上させる。  【解決手段】  液晶表示器１１、メモリ１２０を有するビューワー１の収納部１７にディジタルカメラ装置２を収納する。これにより、ディジタルカメラ装置２の信号処理部２１０と、ビューワー１の信号処理部１１０とが接続されて、ビューワー１とディジタルカメラ装置２との間でデータの交換が可能となる。ビューワー１の操作スイッチ群１４を用いてディジタルカメラ装置２を撮像処理を指示し、その結果得られた画像データをビューワー１の液晶表示器１１に表示し、ビューワー１のメモリ１２０に記憶することができる。【選択図】    図５
2006014245.tif 000002
【特許請求の範囲】
【請求項１】
撮像装置と表示装置とを有する撮像処理システムであって、
前記撮像装置は、撮像素子と、前記撮像素子で撮影した画像データを記憶可能な撮像装置側メモリ手段と、前記撮像素子による撮像動作を指示する撮像装置側撮影操作手段と、少なくとも前記画像データを前記表示装置へ転送する撮像装置側接続手段と、を備え、
前記表示装置は、少なくとも前記撮像装置側接続手段により転送された画像データを受け取る表示装置側接続手段と、前記転送された画像データを記憶可能な表示装置側メモリ手段と、前記撮像装置の撮像動作を指示する表示装置側撮像操作手段と、を備え、
前記撮像装置側接続手段と前記表示装置側接続手段とにより前記撮像装置と前記表示装置とが接続されない場合、前記撮像装置は、操作者による前記撮像装置側撮影操作手段の操作により撮影動作を実行して撮影画像データを前記撮像装置側メモリ手段に記憶し、
前記撮像装置側接続手段と前記表示装置側接続手段とにより前記撮像装置と前記表示装置とが接続された場合、操作者による前記表示装置側操作手段の操作により前記撮像装置の撮影動作を実行して撮影画像データを前記表示装置側メモリ手段に記憶する
ことを特徴とする撮像処理システム。
【請求項２】
請求項１に記載の撮像処理システムであって、
前記撮像装置と前記表示装置とが接続された場合、前記撮像装置側接続手段と前記表示装置側接続手段とによって、撮影動作前の前記撮像素子からの画像データを前記撮像装置から前記表示装置へ転送して該画像データを前記表示装置側表示手段に表示すると共に、前記撮像装置側接続手段と前記表示装置側接続手段とによって、前記表示装置側操作手段に基づく撮像動作信号を前記表示装置から前記撮像装置に転送して該撮像装置の撮影動作を実行する
ことを特徴とする撮像処理システム。
【請求項３】
請求項１または２に記載の撮像処理システムであって、
前記表示装置は、前記表示装置側接続手段の表示方向とは略反対方向に前記撮像装置の撮影方向を向けた状態で該撮像装置を収納する収納手段をさらに設け、操作者が前記表示装置側操手段による撮影行為の際に、撮影対象画像を前記表示装置側表示手段により確認可能にせしめた
ことを特徴とする撮像処理システム。
【請求項４】
撮像素子と、前記撮像素子で撮影した画像データを記憶可能な撮像装置側メモリ手段と、前記撮像素子による撮影動作を指示する撮像装置側撮影操作手段と、表示装置と接続可能にする撮像装置側接続手段と、該撮像装置側接続手段に前記表示装置が接続されたか否かを検出する撮像装置側検出手段と、を備え、
前記撮像装置側検出手段により前記表示装置の非接続が検出された場合、前記撮像装置は、操作者による前記撮像装置側撮影操作手段の操作により撮影動作を実行して撮影画像データを前記撮像装置側メモリ手段に記憶し、
前記撮像装置側検出手段により前記表示装置の接続が検出された場合、前記撮像装置は、前記撮像装置側接続手段を介して撮影動作前の前記撮像素子からの画像データを前記表示装置へ転送すると共に、前記表示装置からの撮像動作信号を受けて該撮像素子による撮影動作を実行し、該撮像装置側接続手段を介して撮影画像データを前記表示装置に転送する
ことを特徴とする撮像装置。
【請求項５】
撮像装置と接続可能にする表示装置側接続手段と、該表示装置側接続手段に前記撮像装置が接続されたか否かを検出する表示装置側検出手段と、前記表示装置側接続手段により転送された画像データを記憶可能な表示装置側メモリ手段と、該画像データを表示可能な表示装置側表示手段と、前記撮像装置の撮像動作を指示する表示装置側撮像操作手段と、を備え、
前記表示装置側検出手段により前記撮像手段の非接続が検出された場合、操作者による表示装置側撮像操作手段の操作により、前記撮像動作以外の表示装置の動作を実行し、
前記表示装置側検出手段により前記撮像手段の接続が検出された場合、前記表示装置は、前記表示装置側接続手段を介して前記表示装置側撮像操作手段による撮影動作前の前記撮像装置からの画像データを受け、該画像データを前記表示装置側表示手段に表示すると共に、操作者による前記表示装置側操作手段の操作により、前記表示装置側接続手段を介して前記撮像装置の撮影動作を実行する撮像動作信号を該撮像装置に送出する
ことを特徴とする表示装置。
【発明の詳細な説明】
【技術分野】
【０００１】
本発明は、ディジタルカメラ装置、撮像手段付携帯電話機などの撮像装置の操作性を高める撮像処理システム（装置）、並びに、それに使用する撮像装置おび表示装置に関する。
【背景技術】
【０００２】
特許文献１は、電子ファインダーを備えないスチルビデオカメラを装着して、画像表示を可能にする画像再生装置を開示している。
【０００３】
その後、電子技術の開発は目ざましく、種々の高度な機能を備えた撮像装置、たとえば、ディジタルカメラ装置、撮像手段付携帯電話機などが広く活用されている。
【０００４】
ディジタルカメラ装置としては、それほどの高性能を望まず、ディジタルカメラ装置について深い知識を持たずに使用することを望む多数のユーザ向けの小型で簡易なディジタルカメラ装置が広く活用されている。
撮像手段付携帯電話機は、携帯電話機として使用可能でありながら、ディジタルカメラ装置と同様の撮像装置としても使用可能である。
【０００５】
小型で簡易型のディジタルカメラ装置に搭載されている表示器の寸法は小さく、分解能も低く表示内容に限度があり、実際にプリントした場合の分解能より低い。
また、ディジタルカメラ装置に装着されるメモリには容量の限界がある。
メモリは再利用可能であるが、銀塩フィルムのように形態で原画を保存したい場合または静電気による破壊防止のために、通常、別の記録媒体にバックアップ保存を行う必要があり、不便である。
【０００６】
ディジタルカメラ装置で撮像した画像データは、ユーザが各種の編集処理を行うことができるという利点があるが、通常、パーソナルコンピュータ（ＰＣ）などを用いて編集処理を行う必要があり、ある程度ＰＣの基本操作を理解し、さらに、編集処理プログラムを理解したユーザでないとそのような編集処理はできないという不便がある。
【０００７】
撮像手段付携帯電話機は、小型で簡易型のディジタルカメラ装置と同様、表示器の寸法の小ささ、分解能が低いという問題に遭遇している。
【０００８】
小型で簡易型のディジタルカメラ装置と撮像手段付携帯電話機に共通している問題は、両者とも、小型軽量で携帯性に富むという点をもつ反面、寸法の制限などで、スイッチ類の搭載に限界があり、それ自体では種々の操作を行えないことである。
【０００９】
さらに、ディジタルカメラ装置と撮像手段付携帯電話機に共通しているその他の問題は、バッテリを用いているため充電する必要があることである。
【００１０】
小型で簡易型ディジタルカメラ装置の活用、および、撮像手段付携帯電話機の活用は益々広がっている。したがって、このような撮像装置の操作性を高め、このような撮像装置の機能不足を補う簡易な手段が要望されている。
【特許文献１】特開平１−１８６０８２号公報
【発明の開示】
【発明が解決しようとする課題】
【００１１】
本発明は、撮像装置の操作性を高め、撮像装置の活用を向上させることを目的とする。
【課題を解決するための手段】
【００１２】
本発明の第１観点によれば、撮像装置と表示装置とを有する撮像処理システムであって、
前記撮像装置は、撮像素子と、前記撮像素子で撮影した画像データを記憶可能な撮像装置側メモリ手段と、前記撮像素子による撮像動作を指示する撮像装置側撮影操作手段と、少なくとも前記画像データを前記表示装置へ転送する撮像装置側接続手段と、を備え、前記表示装置は、少なくとも前記撮像装置側接続手段により転送された画像データを受け取る表示装置側接続手段と、前記転送された画像データを記憶可能な表示装置側メモリ手段と、前記撮像装置の撮像動作を指示する表示装置側撮像操作手段と、を備え、
前記撮像装置側接続手段と前記表示装置側接続手段とにより前記撮像装置と前記表示装置とが接続されない場合、前記撮像装置は、操作者による前記撮像装置側撮影操作手段の操作により撮影動作を実行して撮影画像データを前記撮像装置側メモリ手段に記憶し、
前記撮像装置側接続手段と前記表示装置側接続手段とにより前記撮像装置と前記表示装置とが接続された場合、操作者による前記表示装置側操作手段の操作により前記撮像装置の撮影動作を実行して撮影画像データを前記表示装置側メモリ手段に記憶する、ことを特徴とする、撮像処理システムが提供される。
【００１３】
好ましくは、前記撮像装置と前記表示装置とが接続された場合、前記撮像装置側接続手段と前記表示装置側接続手段とによって、撮影動作前の前記撮像素子からの画像データを前記撮像装置から前記表示装置へ転送して該画像データを前記表示装置側表示手段に表示すると共に、前記撮像装置側接続手段と前記表示装置側接続手段とによって、前記表示装置側操作手段に基づく撮像動作信号を前記表示装置から前記撮像装置に転送して該撮像装置の撮影動作を実行する、ことを特徴とする。
【００１４】
また好ましくは、前記表示装置は、前記表示装置側接続手段の表示方向とは略反対方向に前記撮像装置の撮影方向を向けた状態で該撮像装置を収納する収納手段をさらに設け、操作者が前記表示装置側操手段による撮影行為の際に、撮影対象画像を前記表示装置側表示手段により確認可能にせしめた、ことを特徴とする。
【００１５】
本発明の第２観点によれば、撮像素子と、前記撮像素子で撮影した画像データを記憶可能な撮像装置側メモリ手段と、前記撮像素子による撮影動作を指示する撮像装置側撮影操作手段と、表示装置と接続可能にする撮像装置側接続手段と、該撮像装置側接続手段に前記表示装置が接続されたか否かを検出する撮像装置側検出手段と、を備え、
前記撮像装置側検出手段により前記表示装置の非接続が検出された場合、前記撮像装置は、操作者による前記撮像装置側撮影操作手段の操作により撮影動作を実行して撮影画像データを前記撮像装置側メモリ手段に記憶し、
前記撮像装置側検出手段により前記表示装置の接続が検出された場合、前記撮像装置は、前記撮像装置側接続手段を介して撮影動作前の前記撮像素子からの画像データを前記表示装置へ転送すると共に、前記表示装置からの撮像動作信号を受けて該撮像素子による撮影動作を実行し、該撮像装置側接続手段を介して撮影画像データを前記表示装置に転送する、ことを特徴とする、撮像装置が提供される。
【００１６】
本発明の第３観点によれば、撮像装置と接続可能にする表示装置側接続手段と、該表示装置側接続手段に前記撮像装置が接続されたか否かを検出する表示装置側検出手段と、前記表示装置側接続手段により転送された画像データを記憶可能な表示装置側メモリ手段と、該画像データを表示可能な表示装置側表示手段と、前記撮像装置の撮像動作を指示する表示装置側撮像操作手段と、を備え、
前記表示装置側検出手段により前記撮像手段の非接続が検出された場合、操作者による表示装置側撮像操作手段の操作により、前記撮像動作以外の表示装置の動作を実行し、
前記表示装置側検出手段により前記撮像手段の接続が検出された場合、前記表示装置は、前記表示装置側接続手段を介して前記表示装置側撮像操作手段による撮影動作前の前記撮像装置からの画像データを受け、該画像データを前記表示装置側表示手段に表示すると共に、操作者による前記表示装置側操作手段の操作により、前記表示装置側接続手段を介して前記撮像装置の撮影動作を実行する撮像動作信号を該撮像装置に送出する、ことを特徴とする、表示装置が提供される。
【発明の効果】
【００１７】
本発明によれば、表示装置を撮像装置と組み合わせて使用することにより、表示装置の操作性が向上することや、利用分野が拡大する等の効果を得ることができる。
【発明を実施するための最良の形態】
【００１８】
撮像装置は、たとえば、小型で簡易なディジタルカメラ装置、撮像手段付携帯電話機などが該当する。
表示装置は、撮像装置と組み合わせて使用する観点から、比較的小型で携帯性を有することが望ましく、撮像装置より画像処理有力の高い機能を持ち、撮像装置に搭載される表示器より表示能力の高い表示器を持ち、撮像装置に装着されるメモリ（撮像装置側メモリ手段）よりメモリよりメモリ容量の大きなメモリ（表示装置側メモリ手段）を持つことが望ましい。
本発明の撮像装置は、少なくとも表示装置に画像データを転送する撮像装置側接続手段を備え、表示装置は、少なくとも該転送された画像データを受け取る表示装置側接続手段を備える。
また、表示装置は、操作者により表示装置側操作手段の操作により撮像動作信号が表示装置から撮像装置に転送され、撮像動作が実行される。
以下、添付図面を参照して本発明の撮像処理システムの好適実施の形態について述べる。
【００１９】
第１実施の形態
図１〜図６を参照して本発明の撮像処理システムの第１実施の形態について述べる。
本発明の第１実施の形態の撮像処理システムは、図１に図解する本発明の画像処理・表示装置の１例としてのビューワー（Viewer）１と、図３に図解する本発明の撮像装置の１例としての小型で簡易なディジタルカメラ装置２とが、図５または図６に図解したように組み合わされて協動するシステムである。
【００２０】
ビューワー
１．ビューワーの外観構成
図１は本発明の画像処理・表示装置の実施の形態としてのビューワーの外観構成を図解した図であり、図１（Ａ）はビューワー表側を図解した図であり、図１（Ｂ）はビューワー裏側を図解した図であり、図１（Ｃ）はビューワーの上部から見た図である。
【００２１】
ビューワー１は、図１（Ａ）に図解したように、ビューワー表側１ａに、本発明の第１表示手段の１例としての液晶表示器１１と、本発明の表示装置側撮影操作手段の１例としての操作スイッチ群１４とを有する。
本発明の第１表示手段としては、液晶表示器１１に代えて、有機ＬＥ表示器などフラットパネルを用いることもできる。
操作スイッチ群１４は、例示として、動作確認押しボタンスイッチ１４ａ、動作モード指定ボタン・スイッチ１４ｂ、第１補助スイッチ１４ｃおよび第２補助スイッチ１４ｄからなる操作スイッチ群１４とを有する。動作モード指定ボタン・スイッチ１４ｂは、静止画撮像モードスイッチ１４ｂ１と、動画撮像モードスイッチ１４ｂ２と、コマ送りモードスイッチ１４ｂ３とを有する。操作スイッチ群１４の上記スイッチは例示であり、ビューワー１の操作内容に応じて操作スイッチ類は増減できる。
【００２２】
ビューワー１はまた、図１（Ｂ）に図解したように、ビューワー裏側１ｂに、ディジタルカメラ装置収納部１７を有する。ディジタルカメラ装置収納部１７は、側面壁１７１と、図１（Ｃ）に図解した背面壁１７２と、底部１７３とを有する。このディジタルカメラ装置収納部１７に、図２に図解したディジタルカメラ装置２が収納される。
【００２３】
ビューワー１はさらに、図１（Ｃ）に図解したように、上部（頭部）に、電源スイッチ１５および電源コンセント１６を有する。
またビューワー１は、ディジタルカメラ装置収納部１７の底部１７３に、信号用コネクタ・プラグ１８および充電用コネクタ・プラグ１９を有する。
【００２４】
２．ビューワー１の電子回路の構成
図２はビューワー１の電子回路の構成図である。
ビューワー１は、ビューワー１の内部に収納されているビューワー主電子回路１００と、液晶表示器１１と、操作スイッチ群１４と、信号用コネクタ・プラグ１８と、充電用コネクタ・プラグ１９とを有する。
操作スイッチ群１４は、図１（Ａ）に図解した、スイッチ１４ａ、１４ｂ、１４ｃおよび１４ｄを総称した示したものである。
【００２５】
ビューワー主電子回路１００は、本発明の第２信号処理手段としてのビューワーの信号処理部１１０と、本発明の第２メモリとしてのメモリ１２０と、バッテリ１３０と、電源ユニット１４０とを有する。
バッテリ１３０は、ユーザがビューワー１を携帯して使用する場合は必要であるが、ユーザが携帯して使用しない場合はバッテリ１３０は不要である。以下、ビューワー１を携帯して使用する場合について、すなわち、以下、バッテリ１３０を設けた場合について述べる。
メモリ１２０は、たとえば、着脱自在なカード型の不揮発性メモリ、または、光ディスク、磁気ディスクなどのディスクメモリ、あるいは、カード型の不揮発性メモリとディスクメモリの両者を含むことができる。
【００２６】
ビューワーの信号処理部１１０は、たとえば、マイクロコンピュータを用いて構成されており、制御処理ユニット１１２と、通信ユニット１１４と、撮像処理ユニット１１６と、メモリ制御ユニット１１８とを有し、これらが、バスを介して接続されている。
制御処理ユニット１１２には、下記に述べる動作を行うためのプログラムが格納されているＲＯＭなどのプログラムメモリ、および、データの一時記憶のためのＲＡＭなどのデータメモリを含む。
【００２７】
電源コンセント１６に商用ＡＣ電源用プラグ（図示せず）が接続されると、電源ユニット１４０においてバッテリ１３０を充電させるＤＣ電圧、および、液晶表示器１１のドライバ回路を動作させる電圧などが発生される。電源ユニット１４０からの電圧でバッテリ１３０が充電され、バッテリ１３０からの電圧がビューワーの信号処理部１１０の各部、メモリ１２０、操作スイッチ群１４、液晶表示器１１などに供給される。その結果、下記に述べる諸処理を遂行可能となる。なお、電源ユニット１４０を排除して、電源ユニット１４０で給電する電圧をビューワー１の外部から供給することもできる。
本実施の形態においては、ビューワー１に電源ユニット１４０を内蔵した場合を述べる。
【００２８】
ディジタルカメラ装置２は携帯可能な撮像装置であるが、好ましくは、ビューワー１も携帯可能に製造されている。その理由は、後述するように、ディジタルカメラ装置２をビューワー１に収納して撮像などを行うことを可能にするためである。
ビューワー１の寸法は、図２を参照して述べたビューワーの信号処理部１１０、メモリ１２０、バッテリ１３０および電源ユニット１４０を収納し、かつ、液晶表示器１１、操作スイッチ群１４などを搭載した大きさである。
たとえば、液晶表示器１１は、たとえば、画像がプリントされる葉書代の寸法から、Ｂ５〜Ａ４サイズ程度の寸法である。
なお、図２における検出スイッチ（ＳＷ）はカメラが格納されたことを検知するため（電源供給の安定化、誤通信防止のため）に設けられている。
【００２９】
ディジタルカメラ装置
１．外観構成
図３は本発明の撮像装置の第１実施の形態としての小型軽量で携帯性に富み、多数のユーザが簡便に使用可能な簡易型ディジタルカメラ装置の外観を図解した図であり、図３（Ａ）はディジタルカメラ装置の不使用時または撮影不可時の表側（左側の図）と裏側（右側の図）からみた外観図であり、図３（Ｂ）はディジタルカメラ装置の撮影に使用する時の表側と裏側からみた外観図であり、図３（Ｃ）はディジタルカメラ装置の底部および頭部（上部）の外観図である。
【００３０】
小型軽量で携帯性に富み、多数のユーザが簡便に使用可能な簡易型ディジタルカメラ装置２は、ディジタルカメラ装置本体２０と、ディジタルカメラ装置表側２ａに、表側カバー２１とを有する。表側カバー２１は図３（Ｂ）に図解したように、上下に移動可能であり、下方に移動させると、本発明の撮像手段の１例としてのレンズ２３が露出して撮像可能となる。図３（Ａ）に図解したように、表側カバー２１が閉じられていると、レンズ２３が表側カバー２１の裏側に隠れても隠れて保護されるとともに、撮影には使用できない。
【００３１】
ディジタルカメラ装置２はさらに、ディジタルカメラ装置裏側２ｂに、ディジタルカメラ装置本体２０に固定された裏側カバー３１と、裏側カバー３１に搭載された、液晶表示器３３と、コマ送り押しボタンスイッチ３４と、動作モード指定スイッチ３５とを有する。動作モード指定スイッチ３５は、本例では、静止画撮影モード指定スイッチ３５１と、動画撮影モード指定スイッチ３５２とを有する。
コマ送り押しボタンスイッチ３４、動作モード指定スイッチ３５が本発明の表示装置側撮影操作手段に該当する。
【００３２】
図３（Ｃ）に図示したように、ディジタルカメラ装置２の底部には、底部信号用コネクタ・レセプタクル２８と底部充電用コネクタ・レセプタクル２９とが設けられており、ディジタルカメラ装置２の上部（頭部）には、頭部信号用コネクタ・レセプタクル３８と、頭部充電用コネクタ・レセプタクル３９とが設けられている。
また、ディジタルカメラ装置２の頭部には、ディジタルカメラ装置２をビューワー１に対するリモートコントローラとして使用する時の無線通信手段の１例として、赤外線発光ダイオード３７ａと、赤外線フォトダイオード３７ｂとが設けられている。
【００３３】
撮像装置側接続手段である底部信号用コネクタ・レセプタクル２８と頭部信号用コネクタ・レセプタクル３８とは同じ構造のコネクタであり、これらのコネクタは、表示装置側接続手段であるビューワー１の信号用コネクタ・プラグ１８に接続される。底部充電用コネクタ・レセプタクル２９と頭部充電用コネクタ・レセプタクル３９とは同じ構造をしており、これらのコネクタはビューワー１の充電用コネクタ・プラグ１９に接続される。
ディジタルカメラ装置２の底部と上部（頭部）の両側に、同じ構造の信号用コネクタ・レセプタクル２８、３８と、充電用コネクタ・レセプタクル２９、３９を設けた理由は、図５および図６に図解したように、ビューワー１のディジタルカメラ装置収納部１７に、ディジタルカメラ装置２を底部からディジタルカメラ装置収納部１７に挿入させる場合と、ディジタルカメラ装置２を頭部から挿入させる場合の両者に対応可能としているためである。
したがって、図５または図６に図解した一方の形態のみに使用する場合は、底部または頭部のレセプタクルのみが設けられる。以下、本実施の形態においては、図５および図６に図解した両者の形態での使用を例示する。
【００３４】
２．ディジタルカメラ装置の電子回路の構成
図４はディジタルカメラ装置２の電子回路の構成図である。
ディジタルカメラ装置２００は、本発明の第１信号処理手段としての信号処理部２１０と、バッテリ２３０と、本発明の撮像装置側メモリ手段としてのメモリ２２０と、レンズ２３からの光を電気信号に変換するチャージカップルデバイス（ＣＣＤ）２４０と、レンズ２３を移動させるレンズ・アクチュエータ２５０と、液晶表示器３３と、コマ送り押しボタンスイッチ３４および動作モード指定スイッチ３５とを有する。
【００３５】
メモリ２２０はディジタルカメラ装置２の本体２０から脱着可能な、たとえば、カード型不揮発性メモリである。
【００３６】
信号処理部２１０は、バスを介して接続されている、制御処理ユニット２１１と、自動焦点距離（ＡＦ）制御ユニット２１２と、自動照度（ＡＥ）制御ユニット２１３と、通信ユニット２１４と、インタフエース（Ｉ／Ｆ）処理ユニット２１５と、メモリ制御ユニット２１６とを有する。
制御処理ユニット２１１には、下記に述べる動作を行うためのプログラムが格納されているＲＯＭなどのプログラムメモリ、および、データの一時記憶のためのＲＡＭなどのデータメモリを含む。
【００３７】
表側カバー２１には、静止位置から表側カバー２１が係止位置（図示せず）から離れたことを検出する表側カバー離脱スイッチ２６１と、表側カバー２１が十分開いてレンズ２３が露出したことを検出する表側カバー完全開検出スイッチ２６２とを有する。
表側カバー離脱スイッチ２６１が動作すると、バッテリ２３０から、信号処理部２１０、メモリ２２０、ＣＣＤ２４０、レンズ・アクチュエータ２５０、液晶表示器３３、コマ送り押しボタンスイッチ３４、動作モード指定スイッチ３５に電圧を供給される。
なお、図４における検出スイッチ（ＳＷ）は信号処理（静電気破壊、感電防止）のために設けられている。
【００３８】
ディジタルカメラ装置２の単体動作
まず、ディジタルカメラ装置２単体としての動作を述べる。
ディジタルカメラ装置２は、携帯可能であり、バッテリ２３０からの給電により、上述した電子回路が動作する。
（１）不使用または撮影不可時
図３（Ａ）に図解したように、ディジタルカメラ装置２の不使用時または撮影不可時は、表側２ａの表側カバー２１を完全に閉じており、本体２０に装着されているレンズ２３は表側カバー２１によって隠されている。
この状態においては、表側カバー離脱スイッチ２６１がオフ（開）状態であり、バッテリ２３０から電子回路には給電されない。したがって、たとえば、コマ送り押しボタンスイッチ３４、動作モード指定スイッチ３５を操作しても本体２０内の電子回路は動作せず、液晶表示器３３にも表示はされない。
【００３９】
（２）再生操作時
図３（Ａ）に図解した状態から、表側カバー２１を係止位置から少し押し下げると、表側カバー離脱スイッチ２６１がオン（閉）状態となり、バッテリ２３０からディジタルカメラ装置２の電子回路に給電が行われて、液晶表示器３３を用いた画像再生処理、編集処理などが可能となる。
インタフエース（Ｉ／Ｆ）処理ユニット２１５は、コマ送り押しボタンスイッチ３４、動作モード指定スイッチ３５、表側カバー完全開検出スイッチ２６２などの状態を検出し、その結果を制御処理ユニット２１１に入力する。
制御処理ユニット２１１は、Ｉ／Ｆ処理ユニット２１５からの状態検出信号に基づいて、たとえば、コマ送り押しボタンスイッチ３４が１回押されるたびに、メモリ制御ユニット２１６を介してメモリ２２０に記録されている以前に撮影した画像を１コマごとに取り出して、液晶表示器３３に表示する。ユーザは液晶表示器３３に表示された画像を確認したり、図示しない操作スイッチを用いて、画像を削除したり、編集処理をすることができる。
ただし、この状態では、レンズ２３は依然として表側カバー２１に隠れており、外部に露出されず、レンズ２３を使用した撮影はできない。
【００４０】
（３）撮影時
図３（Ｂ）に図解したように、表側カバー２１を十分下まで押し下げると、レンズ２３が露出する。この状態において、表側カバー完全開検出スイッチ２６２がオン（閉）状態となり、制御処理ユニット２１１は、表側カバー完全開検出スイッチ２１２の閉状態から、レンズ２３を用いた撮影が可能になったことを検出する。制御処理ユニット２１１は、ＡＦ制御ユニット２１２、ＡＥ制御ユニット２１３を動作可能にする。
ＡＦ制御ユニット２１２は、たとえば、レンズ２３およびＣＣＤ２４０を経由した信号を入力して、レンズ・アクチュエータ２５０を用いてレンズ２３を移動させながら、焦点距離の調整を行う。
ＡＥ制御ユニット２１３は、レンズ２３における絞りなどを調整して照度調整を行う。
【００４１】
レンズ２３は複数のレンズを含み、レンズ・アクチュエータ２５０によって複数のレンズのフォーカス用のレンズが移動されることにより、レンズ２３全体としての焦点距離が調整可能であり、また、レンズ２３内に絞りなどが含まれている。
【００４２】
ユーザが、液晶表示器３３に表示されている、レンズ２３およびＣＣＤ２４０を介して入力されている撮像画像を確認して、たとえば、動作モード指定スイッチ３５の静止画撮影モード指定スイッチ３５１を、１度押して画像をロックさせ、さらに２度押することにより、制御処理ユニット２１１は、その静止画像を、たとえば、ＪＰＥＧ方式で圧縮して、圧縮した画像データメモリ制御ユニット２１６を介してメモリ２２０に記録する。
ユーザが、動画撮影モード指定スイッチ３５２を押した場合は、レンズ２３およびＣＣＤ２４０を介して撮像された動画が制御処理ユニット２１１から液晶表示器３３に表示され、必要に応じて、制御処理ユニット２１１において、たとえば、ＭＰＥＧ方式で圧縮した動画データがメモリ制御ユニット２１６を介してメモリ２２０に記録される。
【００４３】
以上、ディジタルカメラ装置２単体としての通常の動作例を述べた。
動画撮影モード指定スイッチ３５２を操作すれば、ディジタルカメラ装置２によって連続的な撮像が可能となるが、その詳細動作は省略する。
【００４４】
次いで、ディジタルカメラ装置２とビューワー１とを組み合わせて使用する場合について述べる。
ビューワー１のディジタルカメラ装置収納部１７は、ディジタルカメラ装置２を挿脱可能な構造をしている。
【００４５】
ビューワーとディジタルカメラ装置との組み合わせ動作（１）
図５を参照して、ビューワー１とディジタルカメラ装置２とを組み合わせて行う第１動作形態例として、再生・編集処理形態を述べる。
図５は図１に図解したビューワー１に図３に図解したディジタルカメラ装置を搭載して組み合わせて使用する第１動作形態を図解した図であり、図５（Ａ）は正面図であり、図５（Ｂ）は裏面図であり、図５（Ｃ）は上部から見た図である。
【００４６】
ディジタルカメラ装置２の表側２ａをディジタルカメラ装置収納部１７のビューワー１の背面壁１７２に向けてディジタルカメラ装置２を側面壁１７１に沿って底部１７３まで収納部１７に挿入させると、図２（Ｃ）に図解した撮像装置側接続手段である底部信号用コネクタ・レセプタクル２８が図１（Ｃ）に図解した表示装置側接続手段である信号用コネクタ・プラグ１８と係合して電気的に接続され、底部充電用コネクタ・レセプタクル２９が充電用コネクタ・プラグ１９に係合して電気的に接続される。
この状態は、ディジタルカメラ装置２の裏側２ｂが露出し、裏側カバー３１に搭載された液晶表示器３３、コマ送り押しボタンスイッチ３４および動作モード指定スイッチ３５が操作可能となる。表側カバー２１は背面壁１７２と対面し、レンズ２３は表側カバー２１内に隠されている。
なお、撮像装置は、表示装置の接続を検出する検出手段を備え、該検出手段により表示手段の接続を検出した場合、表示装置へ画像データを転送することや、表示装置からの撮像動作信号を受けることが可能となる。
同様に、表示装置は、撮像装置の接続を検出する検出手段を備え、該検出手段により撮像装置の接続を検出した場合、撮像装置から画像データを受けることや、撮像装置に撮像動作信号を送出することができる。
【００４７】
ビューワーの充電装置としての使用
底部充電用コネクタ・レセプタクル２９が充電用コネクタ・プラグ１９に係合して電気的に接続されると、ビューワー１内のバッテリ１３０からディジタルカメラ装置２内のバッテリ２３０に充電可能となる。
バッテリ１３０からバッテリ２３０への充電方法については、ユーザの利用形態、バッテリ２３０の種類などを考慮して種々の方法をとることができる。たとえば、バッテリ２３０の種類によっては、たとえば、リチューム電池のように完全に放電状態から充電することが望ましいし、充電状態に余り依存しないバックアップもある。以下、バッテリ１３０からバッテリ２３０への充電方法の例を下記に述べる。
【００４８】
（１）充電用コネクタ・プラグ１９に底部充電用コネクタ・レセプタクル２９が接続されたら自動的にバッテリ１３０からバッテリ２３０への充電を行う。この方法はユーザにとって非常に便利である。
（２）ディジタルカメラ装置２の動作モード指定スイッチ、または、ビューワー１の操作スイッチを操作することにより開始する。この方法によれば、ユーザの希望に応じた充電が可能となる。
（３）図４に図解したように、表側カバー完全開検出スイッチ２６２を底部充電用コネクタ・レセプタクル２９とバッテリ２３０との間に挿入した回路構成にしておき、ディジタルカメラ装置２がビューワー１のディジタルカメラ装置挿脱収納部１７に装着された後、表側カバー２１に対して本体２０を少し上げて、実質的に、本体２０に対して表側カバー２１を少し下げた状態にして、表側カバー完全開検出スイッチ２６２を閉状態にし、バッテリ２３０とバッテリ１３０との間を閉状態にして、バッテリ１３０からバッテリ２３０への充電を可能にする。この方法によれば、ユーザの希望に応じた充電が可能となる。
【００４９】
ビューワーの画像データバックアップ処理装置としての使用
底部信号用コネクタ・レセプタクル２８と信号用コネクタ・プラグ１８とが係合することにより、ビューワー１のビューワーの信号処理部１１０内の通信ユニット１１４と、ディジタルカメラ装置２のディジタルカメラ装置の信号処理部２１０内の通信ユニット２１４とが電気的に接続されて、両者の間で通信可能となる。
したがって、ディジタルカメラ装置２のメモリ２２０に記録されている画像データなどのデータを、ビューワー１の制御処理ユニット１１２およびディジタルカメラ装置２の制御処理ユニット２１１の制御のもとで、上記通信系統を介して、ビューワー１内のメモリ１２０に転送して保存することができる。
メモリ１２０は、上述したように、たとえば、着脱自在なカード型の不揮発性メモリ、または、光ディスク、磁気ディスクなどのディスクメモリ、あるいは、カード型の不揮発性メモリとディスクメモリの両者を含むことができる。好ましくは、ビューワー１のメモリ１２０は、ディジタルカメラ装置２のメモリ２２０よりメモリ容量が大きい。よって、メモリ１２０はメモリ２２０のバックアップメモリとして活用できる。
【００５０】
メモリ２２０からメモリ１２０へデータの転送方法としては、種々の方法をとることができる。下記にいくつかの例を述べる。
【００５１】
（１）ディジタルカメラ装置２の底部信号用コネクタ・レセプタクル２８がビューワー１の信号用コネクタ・プラグ１８に係合すると、制御処理ユニット１１２と制御処理ユニット２１１との協動により、自動的に、メモリ２２０に記録されている全てのデータをメモリ１２０に転送して保存する。
【００５２】
（２）底部信号用コネクタ・レセプタクル２８が信号用コネクタ・プラグ１８に係合したのち、ディジタルカメラ装置２の制御処理ユニット２１１がディジタルカメラ装置２のコマ送り押しボタンスイッチ３４が１回押されるたびにメモリ２２０に記録されている画像データをメモリ制御ユニット２１６を介して１コマごと読みだして液晶表示器３３に表示させ、かつ、上記通信系統を介して液晶表示器３３に表示れている画像データをビューワー１の制御処理ユニット１１２に転送し、制御処理ユニット１１２が液晶表示器１１にその画像データを表示させる。
液晶表示器１１は液晶表示器３３より寸法が大きく、液晶表示器３３より微細な画像を表示可能となっている。したがって、ビューワー１の液晶表示器１１に表示されている画像はディジタルカメラ装置２の液晶表示器３３に表示されている画像より精密な画像である。この状態において、ユーザが液晶表示器１１に表示された微細な画像を確認して、その画像をメモリ１２０に保存したい場合、たとえば、ビューワー１の第２補助スイッチ１４ｄを押す。制御処理ユニット１１２が第２補助スイッチ１４ｄの動作に応じて液晶表示器１１に表示されている画像データをメモリ制御ユニット２１６を介してメモリ２２０に保存する。
【００５３】
（３）ディジタルカメラ装置２においてマルチ画像を選択して液晶表示器３３に複数の縮小画像を表示しておく。この状態において、たとえば、ユーザがビューワー１の第１補助スイッチ１４ｃを押したとき、ディジタルカメラ装置２の制御処理ユニット２１１が上記通信経路を介して転送されたその操作指示を検出して液晶表示器３３に表示されるいるマルチ画像を一括してビューワー１に送出する。ビューワー１の制御処理ユニット１１２はマルチ画像を受信し、液晶表示器１１に表示させる。ユーザが液晶表示器１１に表示されたマルチ画像を確認して、下記のいずれかを行う。
（ａ）マルチ画像を一括してメモリ１２０に保存するときは、たとえば、ユーザが動作モード指定ボタン・スイッチ１４ｂの動画撮像モードスイッチ１４ｂ２を押して、マルチ画像を選択し、さらに、ユーザが第２補助スイッチ１４ｄを押したとき、制御処理ユニット２１１は液晶表示器１１に表示されている複数の画像データをメモリ１２０に保存する。
（ｂ）マルチ画像から保存すべき画像を１コマごと選択したいときは、たとえば、ユーザは第１補助スイッチ１４ｃを押して液晶表示器１１に表示されていま複数の画像を１コマごと進めていき、ユーザが保存したい画像のときは、第２補助スイッチ１４ｄを押す。制御処理ユニット２１１は液晶表示器１１に表示されており、指定されたコマの画像データをメモリ１２０に保存する。
【００５４】
以上の動作から、ビューワー１のメモリ１２０がディジタルカメラ装置２のメモリ２２０のバックアップメモリとして活用できることが判る。
【００５５】
さらに、メモリ１２０に保存されたメモリ１２０に格納されていた画像データなどの消去方法も種々の方法をとることができる。その例を下記に例示する。
（１）メモリ１２０に保存されたデータを制御処理ユニット２１１がメモリ２２０から自動的に消去する。
（２）ディジタルカメラ装置２自身が持つ、画像データ消去機能を活用して、メモリ１２０内のデータを消去する。
【００５６】
同様に、メモリ１２０に記録された画像データなどの消去は、ディジタルカメラ装置２におけるメモリ２２０からのデータ消去と同様に行うことができる。
【００５７】
再生・編集操作（第１形態）
図５に図解した、ビューワー１にディジタルカメラ装置２が搭載されて相互に接続され、メモリ２２０からメモリ１２０に希望する画像データなどが転送された後、ユーザが、図５（Ａ）の状態で、動作確認押しボタンスイッチ１４ａ、動作モード指定ボタン・スイッチ１４ｂ、第１補助スイッチ１４ｃ、第２補助スイッチ１４ｄなどを用いて、メモリ１２０に記録されている画像データを、液晶表示器３３より大型で微細な画像が表示可能な液晶表示器１１に表示することができる。このとき、液晶表示器３３には画像は表示されない。
【００５８】
たとえば、動作確認押しボタンスイッチ１４ａ、動作モード指定ボタン・スイッチ１４ｂ、第１補助スイッチ１４ｃ、第２補助スイッチ１４ｄを下記の用途で使用する。
動作確認押しボタンスイッチ１４ａ：不使用
動作モード指定ボタン・スイッチ１４ｂ
静止画撮像モードスイッチ１４ｂ１：静止画１コマごとの指定
動画撮像モードスイッチ１４ｂ２：マルチ画像の一括表示の指定
第１補助スイッチ１４ｃ：前方向に１コマ進める
第２補助スイッチ１４ｄ：後ろ方向に１コマ進める。
【００５９】
なお、ビューワー１における操作スイッチ手段として、物理的なスイッチをビューワー１に配設するだけでなく、制御処理ユニット１１２と液晶表示器１１とを用いてユーザと対話形式で操作を行わせることもできる。
たとえば、液晶表示器１１の表面にタッチパネルシートを配設しておき、制御処理ユニット１１２から液晶表示器１１に操作対象の内容を文字と図形を用いて表示し、ユーザが液晶表示器１１の該当する部分を指などで押すと、その位置が制御処理ユニット１１２において検出でき、ビューワー裏側１ｂはユーザの操作内容を検出できる。
このような方法によれば、物理的なスイッチを設けたことと実質的に同じ効果を奏する。
またこのような方法は、ビューワー１の外観形状を変更することなく、操作内容の変更・修正にも柔軟に対応できるという利点がある。
【００６０】
再生・編集操作（第２形態）
図５に図解した、ビューワー１にディジタルカメラ装置２が搭載されて相互に接続された後、メモリ２２０からメモリ１２０に希望する画像データなどが転送されるか否かに係わらず、ユーザが、図５（Ｂ）の状態で、コマ送り押しボタンスイッチ３４、動作モード指定スイッチ３５などを用いて、メモリ１２０に記録されている画像データを、液晶表示器３３と、液晶表示器３３より大型で微細な画像が表示可能な液晶表示器１１との両者に表示させる。
この処理機能は、ディジタルカメラ装置２単体としての画像再生処理に加えて、ビューワー１における液晶表示器１１への画像表示処理を付加したものである。
この再生動作は、たとえば、ユーザがビューワー裏側１ｂからコマ送り押しボタンスイッチ３４、動作モード指定スイッチ３５などを操作しながら、ビューワー表側１ａの前にいる第３者に液晶表示器１１に表示された画像を見せながら、プレゼンテーションなどを行う場合に好適である。
【００６１】
再生・編集操作（第３形態）
図５に図解した、ビューワー１にディジタルカメラ装置２が搭載されて相互に電気的に接続された後、メモリ２２０からメモリ１２０に希望する画像データを転送した後、ディジタルカメラ装置２をビューワー１のディジタルカメラ装置収納部１７から抜き取る。
ユーザは、ビューワー表側１ａに位置して、ディジタルカメラ装置２の頭部をビューワー１の操作スイッチ群１４の部分に向ける。
ディジタルカメラ装置２には、無線通信手段、たとえば、図３（Ｃ）に図解したように、赤外線発光ダイオード（ＬＥＤ）３７ａと赤外線フォトダイオード（ＰＤ）３７ｂとが配設されている。同様に、ビューワー１の操作スイッチ群１４の近傍にも、無線通信手段、赤外線発光ダイオード（ＬＥＤ）１７ａと赤外線フォトダイオード（ＰＤ）１７ｂとが配設されている。
【００６２】
この場合、ディジタルカメラ装置２は、ビューワー１に対するリモートコントーラとして使用する。
たとえば、ユーザがディジタルカメラ装置２のコマ送り押しボタンスイッチ３４を押すと、コマ送り押しボタンスイッチ３４の信号が制御処理ユニット２１１を経由して通信ユニット２１４に転送され、通信ユニット２１４が赤外線ＬＥＤ３７ａを上記コマ送り押しボタンスイッチ３４の操作に応じた信号形態で励起して点灯させる。赤外線ＬＥＤ３７ａの光はビューワー１の赤外線フォトダイオード１７ｂで検出され、通信ユニット１１４を介して制御処理ユニット１１２に入力され、制御処理ユニット１１２においてディジタルカメラ装置２のコマ送り押しボタンスイッチ３４の操作があったことを検出する。
そこで、制御処理ユニット１１２は、メモリ制御ユニット１１８を介してメモリ１２０に記録された画像データを１コマ分読みだして、液晶表示器１１に表示する。
以下、ユーザがコマ送り押しボタンスイッチ３４を１回押すごとに、新たな１コマの画像が液晶表示器１１に表示される。
【００６３】
以上の動作において、メモリ２２０にも画像データが残っている場合、コマ送り押しボタンスイッチ３４の操作に応じて、ディジタルカメラ装置２の液晶表示器３３にも液晶表示器１１に表示される画像と同じ画像を表示させることができる。
特に、ディジタルカメラ装置２に記憶された画像データを表示装置に関連付けて記憶させておくことが好ましい。
【００６４】
上記実施の形態において、無線通信手段として、発光ダイオードとフォトダイオードを用いた場合について述べたが、電波を用いた通信手段などその他の種々の無線通信手段を用いることができる。
また、ディジタルカメラ装置２とビューワー１と間を、上述した無線通信方式ではなく、ディジタルカメラ装置２の頭部充電用コネクタ・レセプタクル３９とビューワー１の信号用コネクタ・プラグ１８との間をケーブルで接続してもよい。
【００６５】
この再生・編集操作の第３形態は、たとえば、ユーザがビューワー表側１ａからディジタルカメラ装置２のコマ送り押しボタンスイッチ３４、動作モード指定スイッチ３５などを操作しながら、ビューワー表側１ａの前にいる第３者に液晶表示器１１に表示された画像を見せながら、プレゼンテーションなどを行う場合などに好適である。もちろん、ユーザ自身がディジタルカメラ装置２を用いた撮像した画像を大型で微細な液晶表示器１１に表示して見る場合にも好適である。
【００６６】
以上のように、ビューワー１とディジタルカメラ装置２とを組み合わせた使用すると、ディジタルカメラ装置２自体の持つ表示機能の制限、たとえば、液晶表示器３３の寸法の制限、表示画素数の限界などを、大型で表示画素数が多く、微細な画像を表示可能なビューワー１の液晶表示器１１の持つ機能で補うことができる。
【００６７】
ビューワーとディジタルカメラ装置との組み合わせ動作（２）
図６を参照して、ビューワー１とディジタルカメラ装置２とを組み合わせて行う第１動作形態例として、撮像処理形態を述べる。
図６は図１に図解したビューワーに図３に図解したディジタルカメラ装置を搭載して組み合わせて使用する第２形態としての撮像形態を図解した図であり、図６（Ａ）は正面図であり、図６（Ｂ）は裏面図であり、図６（Ｃ）は上部から見た図である。
【００６８】
図６（Ｂ）に図解したように、図５（Ｂ）の図解の状態とは逆に、ディジタルカメラ装置裏側カバー３１が背面壁１７２は対面させてディジタルカメラ装置２をディジタルカメラ装置収納部１７に挿入する。これにより、表側カバー２１がビューワー裏側１ｂ側に露出する。
この状態においては、ディジタルカメラ装置２の頭部信号用コネクタ・レセプタクル３８とビューワー１の信号用コネクタ・プラグ１８とが係合する。同様に、ディジタルカメラ装置２の頭部充電用コネクタ・レセプタクル３９とビューワー１の充電用コネクタ・プラグ１９とが係合する（接続する）。
この係合（接続）関係は、撮像装置側接続手段である底部信号用コネクタ・レセプタクル２８と表示装置側接続手段である信号用コネクタ・プラグ１８とが係合し、底部充電用コネクタ・レセプタクル２９と充電用コネクタ・プラグ１９とが係合した上記関係と同じである。
したがって、上述した方法と同様に、必要ならば，バッテリ１３０からバッテリ２３０への充電が行われる。
【００６９】
図６（Ｂ）に図解したように、表側カバー２１が係止位置にあるとき、表側カバー離脱スイッチ２６１は開（オフ）状態であり、バッテリ２３０とディジタルカメラ装置の信号処理部２１０との間は開状態であり、バッテリ２３０からディジタルカメラ装置の信号処理部２１０などへの給電は行われない。
表側カバー２１が係止位置から少し移動されると、表側カバー離脱スイッチ２６１が閉（オン）状態になり、バッテリ２３０からディジタルカメラ装置の信号処理部２１０などへの給電が行われる。
【００７０】
必要ならば、メモリ２２０からメモリ１２０への画像データなどの転送が行われる。
【００７１】
図６（Ｄ）に図解したように、撮像装置の撮影方向であるレンズ面が被写体側を向くように配置し、表側カバー２１を十分押し上げてレンズ２３を露出させると、表側カバー完全開検出スイッチ２６２が閉（オン）状態になり、制御処理ユニット２１１は撮像可能であることを検出する。しかしながら、この状態においては、ディジタルカメラ装置裏側カバー３１は隠れているから、コマ送り押しボタンスイッチ３４、動作モード指定スイッチ３５などは使用できない。
他方、制御処理ユニット２１１は、頭部信号用コネクタ・レセプタクル３８とビューワー１の信号用コネクタ・プラグ１８との係合により確立された通信経路、すなわち、通信ユニット２１４、頭部信号用コネクタ・レセプタクル３８、信号用コネクタ・プラグ１８、通信ユニット１１４の通信経路を介して、制御処理ユニット１１２と交信可能であることを知る。
この場合は、ディジタルカメラ装置２のコマ送り押しボタンスイッチ３４、動作モード指定スイッチ３５などに代えて、ビューワー１の動作確認押しボタンスイッチ１４ａ、動作モード指定ボタン・スイッチ１４ｂ、第１補助スイッチ１４ｃ、第２補助スイッチ１４ｄなどを用いて、かつ、液晶表示器３３の代えて液晶表示器１１に表示される画像を参照して、レンズ２３、ＣＣＤ２４０を介して撮影した画像を撮像する。
【００７２】
たとえば、ユーザは、動作モード指定ボタン・スイッチ１４ｂの静止画撮像モードスイッチ１４ｂ１を押して静止画を撮像することを指定する。この操作は、ビューワー１の撮像処理ユニット１１６、制御処理ユニット１１２、通信ユニット１１４を介して、ディジタルカメラ装置２の通信ユニット２１４、制御処理ユニット２１１に転送される。
その結果は、制御処理ユニット２１１は、ディジタルカメラ装置２の動作モード指定スイッチ３５の静止画撮影モード指定スイッチ３５１を押されたと同じ処理を行う。すなわち、ＡＦ制御ユニット２１２および通信ユニット２１４を駆動し、レンズ２３、ＣＣＤ２４０を介して得られた撮像データを、上記通信経路を介してビューワー１に送出する。ビューワー１内において、制御処理ユニット１１２が転送されてきた画像データをリアルタイムで液晶表示器１１に表示する。ユーザは液晶表示器３３に代えて、撮像画像を液晶表示器１１で見ることができる。液晶表示器１１に表示される画像は、液晶表示器３３に表示さる画像と比較すると、大型で精細な画像である。
【００７３】
ユーザは、たとえば、第２補助スイッチ１４ｄを押して液晶表示器１１に表示されている画像を拡大させることを希望する。または、ユーザは、たとえば、第１補助スイッチ１４ｃを押して液晶表示器１１に拡大して表示されている画像を縮小することを希望する。第２補助スイッチ１４ｄまたは第１補助スイッチ１４ｃは上記通信経路を介してディジタルカメラ装置２の制御処理ユニット２１１に転送され、その希望に応じて、ＡＦ制御ユニット２１２、ＡＥ制御ユニット２１３などが動作して、希望する画像がレンズ２３を介して撮像可能にする。この撮像された画像は上記同様、通信経路を介してビューワー１に転送され、液晶表示器１１に表示される。
【００７４】
ユーザが、たとえば、表示装置側操作手段である動作確認押しボタンスイッチ１４ａを１回押すと、撮像動作信号が送出され、液晶表示器１１に表示されている画像状態がロックされる。ユーザがさらに動作確認押しボタンスイッチ１４ａをもう１段深く押すと、ロックされた撮像データが、メモリ制御ユニット１１８を介してメモリ１２０、および／または、メモリ制御ユニット２１６を介してメモリ２２０に記録される。撮像データがビューワー１のメモリ１２０および／またはディジタルカメラ装置２のメモリ２２０に記録することは、ユーザが操作スイッチ（図示なし）を操作して設定することができる。
【００７５】
このように、ディジタルカメラ装置２とビューワー１とを組み合わせて、大型で微細な表示が可能な液晶表示器１１を活用して、ディジタルカメラ装置２を使用すると同等の操作方法で、撮像することができる。
撮像画像をメモリ２２０に保存することにより、メモリ１２０のメモリ容量を小さくできる、または、ディジタルカメラ装置２からメモリ１２０を排除することもできる。あるいは、メモリ１２０に撮像データを保存することにより、ディジタルカメラ装置２のために他にバックアップ用のメモリを必要としないでもよいという利点がある。
【００７６】
上記第１実施の形態においては、各種スイッチをディジタルカメラ装置２に設け、同様に、各種スイッチをビューワー１に設けた場合について述べた。しかしながら、ディジタルカメラ装置２にディジタルカメラ装置２としての基本的な操作用のスイッチを設けることのほか、ビューワー１には最小限のスイッチを設け、上述した各種操作については、液晶表示器１１を用いた対話形式に代えることができる。
たとえば、液晶表示器１１をタッチバネル形式にし、制御処理ユニット１１２はタッチバネル形式の液晶表示器１１に操作内容を表示し、希望する操作表示内容部分をユーザが押すと、制御処理ユニット１１２がそれを検出し、恰も、実際のスイッチを操作されたものと同様の処理を行うことができる。
【００７７】
以上述べたように、本発明の画像処理・表示装置の第１実施の形態としてのビューワー１と、本発明の撮像装置の第１実施の形態としてのディジタルカメラ装置２または撮像手段付携帯電話機を組合わせて使用すると、ビューワー１からディジタルカメラ装置２などの操作を行い、その結果をビューワー１内の液晶表示器１１に表示させたり、メモリ１２０に画像データを保存することができる。
ビューワー１の制御処理ユニット１１２はディジタルカメラ装置２の制御処理ユニット２１１より信号処理能力に優れる。したがって、制御処理ユニット１１２を用いて再生処理、編集処理などの処理を行えば、ディジタルカメラ装置２で行う編集処理より高度かつ精密な処理が可能となる。
、液晶表示器１１は液晶表示器３３より表示能力が高い。したがって、液晶表示器１１により精度の高い画像を表示させることができる。
さらにメモリ１２０はメモリ２２０よりメモリ容量が大きい。よって、メモリ１２０をメモリ２２０のバックアップメモリとしても使用できる。
ビューワー１の電源ユニット１４０はディジタルカメラ装置２のバッテリ１３０の充電手段としても使用できる。
【００７８】
第２実施の形態
本発明の撮像処理システムの第２実施の形態を、図７および図８を参照して述べる。
図７は本発明の撮像装置の第２実施の形態としてのディジタルカメラ装置を図解した図であり、図７（Ａ）は第２実施の形態のディジタルカメラ装置の不使用時の表側と裏側からみた外観図であり、図７（Ｂ）は第２実施の形態ディジタルカメラ装置の撮像時の表側と裏側からみた外観図であり、図７（Ｃ）は第２実施の形態のディジタルカメラ装置の再生処理時の表側と裏側からみた外観図であり、図２（Ｄ）は第２実施の形態のディジタルカメラ装置の底部および頭部の外観図である。
【００７９】
図７に図解したディジタルカメラ装置２は、図３に図解した第１実施の形態のディジタルカメラ装置２と比較すると、図７（Ｃ）に図解したように、ディジタルカメラ装置裏側カバー３１が移動可能であり、裏側カバー３１を移動させたとき、本体２０に配設されている編集動作スイッチ群３６が露出することである。編集動作スイッチ群３６は、第１編集動作スイッチ３６１、第２編集動作スイッチ３６２および第３編集動作スイッチ３６３を有しており、裏側カバー３１を移動させたとき、これらのスイッチ３６１〜３６３を用いて、ディジタルカメラ装置２で撮像した画像データを編集処理など可能にしたものである。
【００８０】
図８は図１に図解したビューワーに図７に図解したディジタルカメラ装置を搭載して組み合わせて使用する形態を図解した図であり、図８（Ａ）は正面図であり、図８（Ｂ）は裏面図であり、図８（Ｃ）は上部から見た図である。
図８に図解した形態は、図５に図解した形態と比較すると、ディジタルカメラ装置２をビューワー１のディジタルカメラ装置挿脱収納部１７に装着させたとき、図８（Ｂ）の図示した裏側カバー３１を移動させない状態において、液晶表示器３３、コマ送り押しボタンスイッチ３４、動作モード指定スイッチ３５を用いて再生処理のみを行う場合の他、図８（Ｄ）に図解したように、裏側カバー３１を下げて編集動作スイッチ群３６を露出させて、編集動作スイッチ群３６の操作に基づく再生・編集処理をビューワー１の液晶表示器１１および制御処理ユニット１１２などの機能を活用して行うことを可能にしている点である。
【００８１】
図７のディジタルカメラ装置２をビューワー１に搭載して撮像に使用する場合は第１実施の形態と同じである。
【００８２】
ディジタルカメラ装置２の制御処理ユニット２１１と、ビューワー１の制御処理ユニット１１２とを比較すると、制御処理ユニット１１２のほうが、高性能である。したがって、制御処理ユニット１１２の処理能力を活用すると、再生および編集処理機能も高くなる。
たとえば、ディジタルカメラ装置２とビューワー１とを組み合わせて撮像し、その撮像した画像データを制御処理ユニット１１２を用いて、各種修正処理などを行うことができる。それにより、ディジタルカメラ装置２では処理が困難であった、各種編集処理が容易になる。
【００８３】
上記実施の形態においては、編集動作スイッチ群３６をディジタルカメラ装置２に付加した場合を述べた。しかしながら、ディジタルカメラ装置２に編集動作スイッチ群３６を設けず、液晶表示器１１をタッチバネル形式にし、制御処理ユニット１１２はタッチバネル形式の液晶表示器１１を用いてユーザと対話処理することもできる。たとえば、液晶表示器１１に操作内容を表示し、希望する操作表示内容部分をユーザが押すと、制御処理ユニット１１２がそれを検出し、恰も、実際のスイッチを操作されたものと同様の処理を行うことができる。
【００８４】
第３実施の形態
第１および第２実施の形態は撮像装置として、ディジタルカメラ装置２を例示して述べたが、本発明の撮像処理システムへの適用に際しては、撮像装置として、たとえば、撮像手段付携帯電話機なども適用できる。
その使用形態は、ディジタルカメラ装置２とビューワー１とを組み合わせた場合と同様である。
したがって、本発明において撮像装置とは、ディジタルカメラ装置２に限定されず、撮像手段付携帯電話機など広く対象となる。
【００８５】
第４実施の形態
上述したビューワー１には、たとえば、制御処理ユニット１１２において、各種の画像編集処理機能を付加することができる。
画像編集処理機能としては、市販されているＰＣを用いて編集処理プログラムと同様の機能であり、好ましくは、ＰＣの知識を持たずに、ディジタルカメラ装置２で撮像した画像データの編集処理の専用機としてのビューワー１において各種の編集処理を可能とするように構成されている。
【００８６】
また、本発明の画像処理・表示装置として、ビューワー１を例示して述べたが、液晶表示器１１のような表示手段と、ビューワーの信号処理部１１０などの信号処理手段と、メモリ１２０などの記憶手段と、ディジタルカメラ装置２などの撮像装置と有線／無線接続可能な手段を有するものであれば、上述した例示に限定されない。
なお、画像処理・表示装置として、処理機能的には、通常のパーソナル・コンピュータ（ＰＣ）を用いる事もできるが、ＰＣは、上述したビューワー１と比較すると、価格が高額となる傾向があり、重く、携帯性に欠ける。またディジタルカメラ装置２との組み合わせに使用するためには、種々の改良が必要となり、ディジタルカメラ装置２と組み合わせて撮像、画像処理などに使用する専用機には不向きである。
それに対して、ビューワー１は１台で、上述した種々の機能を簡易な方法で実現している。
【図面の簡単な説明】
【００８７】
【図１】図１は本発明の画像処理・表示装置の第１実施の形態としてのビューワーを図解した図であり、図１（Ａ）はビューワー表側を図解した図であり、図１（Ｂ）はビューワー裏側を図解した図であり、図１（Ｃ）はビューワーの上部から見た図である。
【図２】図２は図１に図解したビューワーの電子回路の構成例を示すブロック図である。
【図３】図３は本発明の撮像装置の第１実施の形態としてのディジタルカメラ装置を図解した図であり、図３（Ａ）はディジタルカメラ装置の不使用時または撮影不可時あるいは再生操作時の表側と裏側からみた外観図であり、図３（Ｂ）はディジタルカメラ装置の撮影に使用時の表側と裏側からみた外観図であり、図３（Ｃ）はディジタルカメラ装置の底部および頭部の外観図である。
【図４】図４は図３に図解したディジタルカメラ装置の電子回路の構成例を示すブロック図である。
【図５】図５は図１に図解したビューワーに図３に図解したディジタルカメラ装置を搭載して組み合わせて使用する第１形態を図解した図であり、図５（Ａ）は正面図であり、図５（Ｂ）は裏面図であり、図５（Ｃ）は上部から見た図である。
【図６】図６は図１に図解したビューワーに図３に図解したディジタルカメラ装置を搭載して組み合わせて使用する第２形態を図解した図であり、図６（Ａ）は正面図であり、図６（Ｂ）は裏面図であり、図６（Ｃ）は上部から見た図である。
【図７】図７は本発明の撮像装置の第２実施の形態としてのディジタルカメラ装置を図解した図であり、図７（Ａ）は第２実施の形態のディジタルカメラ装置の不使用時の表側と裏側からみた外観図であり、図７（Ｂ）は第２実施の形態ディジタルカメラ装置の撮像時の表側と裏側からみた外観図であり、図７（Ｃ）は第２実施の形態のディジタルカメラ装置の再生処理時の表側と裏側からみた外観図であり、図２（Ｄ）は第２実施の形態のディジタルカメラ装置の底部および頭部の外観図である。
【図８】図８は図１に図解したビューワーに図７に図解したディジタルカメラ装置を搭載して組み合わせて使用する第２形態を図解した図であり、図８（Ａ）は正面図であり、図８（Ｂ）は裏面図であり、図８（Ｃ）は上部から見た図である。
【符号の説明】
【００８８】
１…ビューワー
１ａ…ビューワー表側
１１…液晶表示器    
１４…操作スイッチ群
１４ａ…動作確認押しボタンスイッチ
１４ｂ…動作モード指定ボタン・スイッチ
１４ｂ１…静止画撮像モードスイッチ
１４ｂ２…動画撮像モードスイッチ
１４ｂ２…コマ送りモードスイッチ
１４ｃ…第１補助スイッチ、１４ｄ…第２補助スイッチ
１５…電源スイッチ、１６…電源コンセント
１ｂ…ビューワー裏側
１７…ディジタルカメラ装置収納部
１７１…側面壁、１７２…背面壁、１７３…底部
１７ａ…赤外線ＬＥＤ、１７ｂ…赤外線フォトダイオード
１８…信号用コネクタ・プラグ、１９…充電用コネクタ・プラグ
２…ディジタルカメラ装置
２０…ディジタルカメラ装置本体
２ａ…ディジタルカメラ装置表側
２１…表側カバー
２６１…表側カバー開閉スイッチ
２６２…表側カバー完全開検出スイッチ
２３…レンズ
２ｂ…ディジタルカメラ装置裏側
３１…裏側カバー、３３…液晶表示器
３４…コマ送り押しボタンスイッチ
３５…動作モード指定スイッチ
３５１…静止画撮影モード指定スイッチ
３５２…動画撮影モード指定スイッチ
３６…編集動作スイッチ群
３６１〜３６３…第１〜３編集動作スイッチ
３７ａ…赤外線ＬＥＤ、３７ｂ…赤外線フォトダイオード
２８…底部信号用コネクタ・レセプタクル
２９…底部充電用コネクタ・レセプタクル
３８…頭部信号用コネクタ・レセプタクル
３９…頭部充電用コネクタ・レセプタクル
１００…ビューワー
１１０…ビューワーの信号処理部
１１２…制御処理ユニット、１１４…通信ユニット
１１６…撮像処理ユニット、１１８…メモリ制御ユニット
１２０…メモリ、１３０…バッテリ、１４０…電源ユニット
２００…ディジタルカメラ装置
２１０…信号処理部
２１１…制御処理ユニット、２１２…ＡＦ制御ユニット
２１３…ＡＥ制御ユニット、２１４…通信ユニット
２１５…Ｉ／Ｆ処理ユニット、２１６…メモリ制御ユニット
２２０…メモリ、２３０…バッテリ
２４０…ＣＣＤ、２５０…レンズ・アクチュエータ
【図１】
2006014245.tif 000003
【図２】
2006014245.tif 000004
【図３】
2006014245.tif 000005
【図４】
2006014245.tif 000006
【図５】
2006014245.tif 000007
【図６】
2006014245.tif 000008
【図７】
2006014245.tif 000009
【図８】
2006014245.tif 000010